(57)【要約】      （修正有）【課題】カメラを身体にできるだけ密着した状態と、カメラを撮影操作できる自由な状態に一挙動で切り換えることができ、かついずれの状態もカメラを安定して保持できるようにするカメラ用ストラップを提供する。【解決手段】カメラ用ストラップは、一端がカメラＣに接続される一対の接続ベルト３１、３２と、これらの接続ベルトの他端に両端が接続された開ループ状の肩ベルト２０より成り、肩ベルト２０は、ベルト単独で形成された非伸縮ベルト部２１と伸縮ベルト部２２を備え、ベルト部２１と２２は連結バックル２４によって接続されている。前記伸縮ベルト部２２には、係止バックル４０が備えられ、係止バックルの係合時には伸縮ベルト部が短縮状態を保持し、係合を解くと伸長状態となる。【選択図】図１
0003208352.tif 000002
【実用新案登録請求の範囲】
【請求項１】
一端がカメラに接続される一対の接続ベルトと、これらの接続ベルトの他端に両端が接続された開ループ状の肩ベルトを備え、この肩ベルトは非伸縮ベルト部と伸縮ベルト部より成り、前記両ベルト部は略長方形または長円形リング状連結バックルによって接続され、前記伸縮ベルト部は前記連結バックルと前記接続ベルトの他端との間に閉ループを形成する伸縮ベルトと、このベルトに取り付けられた係脱自在の係止バックルより成り、前記係止バックルの係合により前記伸縮ベルトのループを閉じて伸縮ベルト部を短縮状態とし、前記係止バックルの係合解除によって前記伸縮ベルトのループが開放され伸縮ベルト部が伸長状態になるようにしたカメラ用ストラップ。
【請求項２】
前記係止バックルは係脱自在の雌部材と雄部材より成り、前記伸縮ベルトによりループの開閉端に前記雌雄部材が対向するように取り付けられた請求項１に記載のカメラ用ストラップ。
【請求項３】
前記雌雄部材のいずれかに、略方形状フレームと、その内側空間の略中央を横切る横バーを前記フレームに遊嵌した長さ調整部材を設け、前記伸縮ベルトを前記フレームの一面から他面方向に通して前記横バーを巻回し再度一面から延び出してくるように取り付けて伸縮ベルトによるループの長さを調節可能とした請求項２に記載のカメラ用ストラップ。
【請求項４】
前記横バーの表面に多数の細かい凹凸を設けた請求項３に記載のカメラ用ストラップ。
【考案の詳細な説明】
【技術分野】
【０００１】
この考案は、カメラを身体から釣り下げるために用いるストラップに関する。
【背景技術】
【０００２】
比較的大型で重量も大きいカメラを取り扱う場合、手だけで長時間保持するのは難しいため、カメラにループ状の紐を接続して首廻りに掛け渡し身体からカメラを釣り下げる所謂カメラストラップが用いられている。一般に、この種のストラップには、撮影動作の際に、両手でカメラを眼前に持ち上げて操作するのに充分な余裕を持たせてあるため、通常の持ち歩きの際にはカメラが身体に密着せず、時には大きく揺動することがある。そのためカメラが他の器物に衝突してカメラを損傷することがある。また、カメラを首廻りから釣り下げたまま長時間にわたると、首廻りが重量感に耐え難くなる問題がある。
【０００３】
上記の問題を解消するストラップとして、図７乃至図９に示すようなものが既に市販されている。このストラップは、図７に示されるように、カメラＣのボディの両側に係止される一対の細い接続ベルト１ａ、１ｂと、広幅の肩ベルト２を備え、肩ベルト２は一方の接続ベルト１ａと他方の接続ベルト１ｂとにループ状に接続されている。
【０００４】
カメラＣに一端が係止される接続ベルト１ａには、その他端に係止バックル１０の雌部材１１が固着され、この雌部材１１と着脱可能な雄部材１２に、２個のスリット１２ａ、１２ｂが横方向に設けられ、これらのスリット１２ａ、１２ｂをまたがるように折り返して肩ベルト２が挿通され、そこから延びる肩ベルト２の一端２ａは自由端となっており、この自由端に抜け止め用ストッパ３が設けられている。前記肩ベルト２の折り返し部２ｃに、解除バックル１３が取り付けられている。このバックル１３は、横方向のスリット１３ａを有し、肩ベルト２を雄部材１２のスリット１２ａ、１２ｂに折り返して挿通する際に同時にスリット１３ａにも挿入して取り付けられる。
【０００５】
このようなストラップを用いる際には、図７の状態で肩ベルト２を肩にたすき掛けにし、カメラＣを身体から釣り下げる。カメラＣで撮影しない場合は、カメラＣを身体にできるだけ密着させておいた方が、カメラＣが揺れ動かず携帯時の移動も楽である。そこで、肩ベルト２の自由端となっている一端２ａの部分を引張ると、肩ベルト２の身体に掛けられた部分の長さが縮小し、接続ベルト１ａ、１ｂを介してカメラＣが身体に引き寄せられ、引張る動作を止めると、カメラＣの重量が肩ベルト２の折り返し部２ｃに加わり、折り返し部２ｃの内外面と、雄部材１２のスリット１２ａ、１２ｂ周辺及び解除バックル１３のスリット１３ａ周辺との摩擦によって、肩ベルト２がその位置で係止され、カメラＣを身体に密着させるように肩ベルト２を短縮した状態が保持される。カメラＣで撮影したい場合には、解除バックル１３を手で引張ると、折り返し部２ｃとスリット１２ａ、１２ｂとの係止状態が解かれるので、肩ベルト２はスリット１２ａ、１２ｂを通って自由にスライド可能となり、肩ベルト２の肩に掛けられた部分を延伸することができ、カメラＣを手に持って操作することができるようになる。
【０００６】
しかしながら、上記のようなカメラＣを身体にできるだけ密着させる動作や、密着した状態を解除して撮影動作にスムーズに移行するには、かなりの熟練が必要である。何故ならば、肩ベルト２の折り返し部２ｃの摩擦力だけを利用して、短縮状態と伸長状態の切り換えを行なっているため、その状態を常に一定位置にする操作が非常に難しいからである。さらに、短縮状態を採ったとしても、その状態が保持されず、衝撃によって解除されてしまう問題も生じている。そのほか、肩ベルト２の自由端になっている部分が身体から無拘束に垂れ下って邪魔になる問題もある。
【考案の概要】
【考案が解決しようとする課題】
【０００７】
そこで、この考案の課題は、カメラ用ストラップを用いて、カメラを身体にできるだけ密着した状態と、カメラを撮影操作できる自由な状態に一挙動で切り換えることができ、かついずれの状態も安定してカメラを保持できるようにすることである。
【課題を解決するための手段】
【０００８】
上記の課題を解決するために、この考案のカメラ用ストラップは、一端がカメラに接続される一対の接続ベルトと、これらの接続ベルトの他端に両端が接続された開ループ状の肩ベルトを備え、この肩ベルトを非伸縮ベルト部と伸縮ベルト部によって形成し、前記両ベルト部を略長方形または長円形リング状連結バックルによって接続し、前記伸縮ベルト部を前記連結バックルと前記接続ベルトの他端との間に閉ループを形成する伸縮ベルトとこのベルトに取り付けられた係脱自在の係止バックルによって形成し、前記係止バックルの係合により前記伸縮ベルトのループを閉じて伸縮ベルト部を短縮状態とし、前記係止バックルの係合解除によって前記伸縮ベルトのループが開放され伸縮ベルト部が伸長状態になるようにしたのである。
【０００９】
前記係止バックルは係脱自在の雌部材と雄部材より成り、前記伸縮ベルトによるループの開閉端に前記雌雄部材が対向するように取り付けるのがよい。
【００１０】
前記雌雄部材のいずれかに、略方形状フレームと、その内側空間の略中央を横切る横バーを前記フレームに遊嵌した長さ調整部材を設け、前記伸縮ベルトを前記フレームの一面から他面方向に通して前期横バーを巻回し再度一面から延び出してくるように取り付けて伸縮ベルトによるループの長さを調節可能にするのがよい。また、前記横バーの表面に多数の細かい凹凸を設けるのが好ましい。
【考案の効果】
【００１１】
この考案によれば、以上のように、カメラ用ストラップの肩ベルトを非伸縮ベルト部と伸縮ベルト部によって形成し、伸縮ベルト部に係止バックルを設けて、この係止バックルの係脱によって、伸縮ベルト部を短縮または伸長できるようにしたので、一挙動によって簡単・確実に短縮・伸長状態の切り換えを行なうことができると同時に、短縮・伸長状態をそのまま保持することができる。
【００１２】
さらに、肩ベルトを身体に合わせて調整することができ、その長さを常に一定に維持することができる。
【図面の簡単な説明】
【００１３】
【図１】この考案のカメラ用ストラップを示す平面図、
【図２】カメラ用ストラップの伸縮機構を示す拡大縦断面図、
【図３】同上の係止バックルを外した状態を示す平面図、
【図４】係止バックルの長さ調整部材を示す（Ａ）は平面図、（Ｂ）は側面図、
【図５】長さ調整部材と伸縮ベルトとの係合状態を示す側面図、
【図６】カメラ用ストラップの伸長状態を示す側面図、
【図７】従来のカメラ用ストラップを示す平面図、
【図８】従来のカメラ用ストラップの伸縮機構を示す拡大縦断面図、
【図９】同上の平面図である。
【考案を実施するための形態】
【００１４】
以下、この考案の実施形態を図１乃至図６に基づいて説明する。図１に示すように、この考案のカメラ用ストラップは、開ループ状になった広幅の肩ベルト２０と、この肩ベルト２０の両端にそれぞれ固着された細い接続ベルト３１、３２より成り、前記接続ベルト３１、３２の先端部には、カメラＣのボディの両側に設けられたリング等の係止部と連結できるようにした係止具３１ａ、３２ａがそれぞれ取り付けられている。この係止具３１ａ、３２ａは、接続ベルト３１、３２をカメラと確実に連結することができるものであればよく、バネフックやバックルなど構造は問わない。
【００１５】
前記肩ベルト２０は、伸縮機構を持たないベルトだけで形成された非伸縮ベルト部２１と、伸縮機構を設けた伸縮ベルト部２２から成り、非伸縮ベルト部２１と伸縮ベルト部２２は、略長方形または長円形リング状の連結バックル２４によって接続されている。
【００１６】
前記伸縮ベルト部２２は、図２及び図３に示すように、伸縮ベルト２２ａと係止バックル４０より成り、伸縮ベルト２２ａは、一端が接続ベルト３１に固着されて前記連結バックル２４の方向に延び、このバックル２４をスライド可能に通過して折り返され、さらに係止バックル４０に至って閉ループを形成し、ここで再度折り返された伸縮ベルト２２ａの他端は自由端になっており、この他端に抜け止め用ストッパ２３が固着されている。
【００１７】
前記係止バックル４０は、係脱自在の雌部材４１及び雄部材４２と、この雄部材４２と一体に形成された長さ調整部材４３より成り、図３に示す雄部材４２の係止用突起４２ａを雌部材４１に差し込むことによって図２のように雌部材４１に係止され、その状態で突起４２ａを内側に押圧すると係止を解くことができるようになっている。この雄部材４２に一体形成された長さ調整部材４３は、図４に示すように、略方形状のフレーム４３ａの枠内空間に断面長円形の横バー４３ｂを取り付けたものであって、前記フレーム４３ａの両側壁にはほぼ長円形状の貫通孔４３ｃが設けられ、これらの貫通孔４３ｃに横バー４３ｂの両端部が弛く嵌り込み、横バー４３ｂが所定の範囲で移動可能に（所謂遊嵌）なっている。また、この横バー４３ｂの表面には、多数の細かい凹凸が設けられ、伸縮ベルト２２ａに対する摩擦力を高めている。そして図５のように伸縮ベルト２２ａは、長さ調整部材４３の下面から横バー４３ｂの外面を巻回するように通され再び下面から延び出してくるように取り付けられる。
【００１８】
このようなカメラ用ストラップを使用するには、図１のようにカメラＣを接続ベルト３１、３２の先端部に取り付け、肩ベルト２０をたすき掛けした場合に、カメラＣができるだけ身体に密着するように予め調整しておく。そのために、図２に示す伸縮ベルト部２２の長さＬを調整する。前述したように、伸縮ベルト２２ａには長さ調整部材４３が取り付けられており（図１、図２、図５）、図５（Ｂ）に示すように、伸縮ベルト２２ａと横バー４３ｂの接触を弛めると、伸縮ベルト２２ａを長さ調整部材４３に対して容易に移動させることができるので、図２に示すように、伸縮ベルト２２ａによって形成される閉ループ状部分の長さＬを伸縮することができる。適当な長さに調整した後、図５（Ａ）に示すように、横バー４３ｂに伸縮ベルト２２ａを当接させると、長さ調整部材４３はその位置に確実に保持される。横バー４３ｂには多数の細かい凹凸が形成され、伸縮ベルト２２ａとの摩擦力を非常に大きくしてあるからである。
【００１９】
このようにして伸縮ベルト部２２の長さＬを調整することにより、肩ベルト２０全体の長さを調節することができる。このときは云うまでもなく、係止バックル４０の雌部材４１と雄部材４２は係合された状態である。いま、カメラＣで撮影しようとする場合、カメラＣが身体に密着した状態では操作することができないので、雄部材４２の突起４２ａを係止バックル４０の両側から親指と人さし指で挟んで押圧すると、係合が外れて雌部材４１と雄部材４２が分離し図６に示す状態となる。即ち図２のようにループ状になっていた伸縮ベルト２２ａが図６のようにほぼ直線状に伸長するため、肩ベルト２０全体の長さが延び、カメラＣを自由に操作することができるようになる。操作完了後は、再び雄部材４２を雌部材４１に挿し込んで係止すると伸縮ベルト部２２が短縮し、カメラＣが身体近くまで引き寄せられることになる。
【００２０】
上記のように、係止バックル４０の解除及び係合は一挙動で行なうことができ、しかも肩ベルト２０の短縮状態は、係止バックル４０の係合によって保持され、伸長状態は、図６のように連結バックル２４に対して長さ調整部材４３が抜け止めとして働くため、短縮・伸長状態が確実に保持される。
【００２１】
なお、係止バックル４０の雌部材４１と雄部材４２は逆に設けられていてもよい。また、連結バックル２４を接続ベルト３１の端部に取り付け、係止バックル４０を非伸縮ベルト部２１の端部に取り付けることもできる。さらに、接続ベルト及び肩ベルトの材料には、フレキシブルで伸縮性が小さく強靭な不織布、編織布、皮革などが用いられる。
【符号の説明】
【００２２】
１ａ、１ｂ  接続ベルト
２  肩ベルト
２ａ  肩ベルトの一端
２ｂ  肩ベルトの他端
２ｃ  折り返し部
３  ストッパ
１０  係止バックル
１１  雌部材
１２  雄部材
１２ａ、１２ｂ  スリット
１３  解除バックル
１３ａ  スリット
２０  肩ベルト
２１  非伸縮ベルト部
２２  伸縮ベルト部
２２ａ  伸縮ベルト
２３  ストッパ
２４  連結バックル
３１、３２  接続ベルト
３１ａ、３２ａ  係止具
４０  係止バックル
４１  雌部材
４２  雄部材
４２ａ  係止用突起
４３  長さ調整部材
４３ａ  フレーム
４３ｂ  横バー
４３ｃ  貫通孔
Ｃ  カメラ
Ｌ  ループ状部分の長さ
【図１】
0003208352.tif 000003
【図２】
0003208352.tif 000004
【図３】
0003208352.tif 000005
【図４】
0003208352.tif 000006
【図５】
0003208352.tif 000007
【図６】
0003208352.tif 000008
【図７】
0003208352.tif 000009
【図８】
0003208352.tif 000010
【図９】
0003208352.tif 000011